(57)【要約】【課題】この考案が解決しようとする課題は、障子全体の装飾性を簡単な構成において高めることである。【解決手段】障子の左右の縦かまちおよび上下かまちで構成される障子紙貼付面内に障子紙を貼付するに際し、障子両面に障子紙貼付面を設けてそれぞれ障子紙を貼付するとともに、片方の障子紙に所望のデザインのカッティングを施し、１重の障子紙と２重の障子紙との濃淡の違いで模様を現出させるようにしたことを特徴とするデザイン障子。【選択図】図１
0003136581.tif 000002
【実用新案登録請求の範囲】
【請求項１】
障子の左右の縦かまちおよび上下かまちで構成される障子紙貼付面内に障子紙を貼付するに際し、障子両面に障子紙貼付面を設けてそれぞれ障子紙を貼付するとともに、片方の障子紙に所望のデザインのカッティングを施し、１重の障子紙と２重の障子紙との濃淡の違いで模様を現出させるようにしたことを特徴とするデザイン障子。
【請求項２】
障子の左右の縦かまちおよび上下かまちで構成される障子紙貼付面内に所定形状の中桟を組付けた上、中桟の両面に障子紙を貼付したことを特徴とする請求項１に記載のデザイン障子。
【請求項３】
片方の障子紙が所定形状の中桟に沿ってカッティングを施され、１重の障子紙と２重の障子紙との濃淡の違いで模様を現出させるようにしたことを特徴とする請求項１に記載のデザイン障子。
【請求項４】
所定形状の中桟が、変形自由なひごからなることを特徴とする請求項１または２に記載のデザイン障子。
【考案の詳細な説明】
【技術分野】
【０００１】
本考案は、従来にないデザイン表現が可能なデザイン障子に関するものである。
【背景技術】
【０００２】
従来の障子は、障子の左右の縦かまちおよび上下かまちで構成される障子紙貼付面内に格子状の中桟を組付け、中桟の片面に障子紙を貼付したものであった。
【０００３】
ところで、障子紙が通気性を持つので冷暖房の効果が低いという問題があり、冷暖房の効果を高めるために上記中桟の両側に障子紙を貼付して空気層を形成するようにした二重障子が、実開昭５７−１２９１号公報（特許文献１参照）に提案されている。
【０００４】
また、実公昭３−１２４２１号公報（特許文献２参照）には、障子の手をかける部分の１桝に相当する位置に貼付する障子紙用手掛紙が示されている。この手掛紙は、厚薄一対の表紙及び裏紙を貼付して合体させたものであり、薄い裏紙に透かし模様を切り抜いて手掛部分に相応しい模様を現出させるようにしたものである。
【０００５】
しかしながら、実開昭５７−１２９１号公報（特許文献１参照）の冷暖房の効果を高めるために上記中桟の両側に障子紙を貼付して空気層を形成するようにした二重障子においては、前者の冷暖房の効果を達成しようという目的から見て、本願考案のようなデザイン障子に想到することは、当業者においても到底考えられないことである。
また実公昭３−１２４２１号公報（特許文献２参照）の手掛部分に使用する障子紙用手掛紙は、あくまで障子の中桟で仕切られた１桝分の範囲内の考案であり、障子全体の装飾性を課題とする本考案のデザイン障子を上記考案から想到することは、当業者においても到底できないことである。
【特許文献１】実開昭５７−１２９１号公報
【特許文献２】実公昭３−１２４２１号公報
【考案の開示】
【考案が解決しようとする課題】
【０００６】
この考案が解決しようとする課題は、障子全体の装飾性を簡単な構成において高めることである。
【課題を解決するための手段】
【０００７】
本考案のデザイン障子は、障子の左右の縦かまちおよび上下かまちで構成される障子紙貼付面内に障子紙を貼付するに際し、障子両面に障子紙貼付面を設けてそれぞれ障子紙を貼付するとともに、片方の障子紙に所望のデザインのカッティングを施し、１重の障子紙と２重の障子紙との濃淡の違いで模様を現出させるようにしたことを特徴とするものである。
本考案のデザイン障子は、前記障子の左右の縦かまちおよび上下かまちで構成される障子紙貼付面内に所定形状の中桟を組付けた上、中桟の両面に障子紙を貼付したことをも特徴とするものである。
また本考案のデザイン障子は、前記片方の障子紙が所定形状の中桟に沿ってカッティングを施され、１重の障子紙と２重の障子紙との濃淡の違いで模様を現出させるようにしたことをも特徴とするものである。
さらに本考案のデザイン障子は、前記所定形状の中桟が、変形自由なひごからなることをも特徴とするものである。
【考案の効果】
【０００８】
本考案のデザイン障子は以上のように構成しているので、従来にない自由なデザイン表現が可能なデザイン障子を提供することができるようになった。
【考案を実施するための最良の形態】
【０００９】
以下この考案のデザイン障子の実施の形態を、図面に基いて詳細に説明する。
図１はこの考案のデザイン障子の１実施例を示す正面図、図２は図１のイ−イ断面図、図３はこの考案のデザイン障子の他の実施例を示す説明図、図４はさらに別の実施例を示す説明図、図５は種々の実施例のデザイン障子を組み合わせた状態の説明図である。
【実施例１】
【００１０】
図１および図２は、この考案のデザイン障子の１実施例を示す正面図であって、１，１は障子の左右の縦かまち、２は上かまち、３は下かまちである。
上記縦かまち１，１および上下のかまち２，３で構成される障子紙貼付面内には所定形状の中桟４が組付けてある。図においてこの中桟４，４・・・はそれぞれ左下から右上方向に向かってアーチ状に形成されている。もちろん、この中桟４，４・・・は場合によって省略することができる。
上記中桟４の前面側にはその全面に障子紙５が貼付してあり、通常の目隠し効果及び通気効果を奏することができるようになっている。
また、上記中桟４の後面側にも障子紙６が貼付してあるが、この障子紙６には所望のデザインのカッティングを施してあり、カッティングを施して１重となっている障子紙５部分（Ａ）と、それ以外の２重の障子紙５，６部分（Ｂ）との濃淡の違いで模様を現出させることができるようになっているのである。
【００１１】
また上記実施例においては、前記後面側の障子紙６のカッティングをアーチ状に形成した中桟４，４・・・に沿って施してあるので、中桟４，４・・・と障子紙６のカッティングとが同調し、１重の障子紙５部分（Ａ）と２重の障子紙５，６部分（Ｂ）との濃淡の違いによる模様が一体感を備えたものとなっている。
もちろん、このカッティングは障子紙貼付面に貼付した後、あるいは予め障子紙に施しておくことが可能である。また、中桟４，４・・・に沿って、あるいは中桟４，４・・・に沿うことなく形成したものとすることができる。
【実施例２】
【００１２】
図３および図４は、それぞれこの考案のデザイン障子の異なる実施例を示す説明図である。
図３の実施例では、障子紙貼付面内に円弧状のカッティングを対面させて、レンズ状とした１重の障子紙５部分（Ａ）と、それ以外の２重の障子紙５，６部分（Ｂ）との濃淡の違いで模様を現出させることができるようになっている。
【実施例３】
【００１３】
図４の実施例では、障子紙貼付面内に格子状の中桟４，４・・・が配設してあり、また一方の側の中桟４の端部を起点にして他方の側の上下の中桟４，４を終点とする円弧状のカッティングが施してある。
この実施例においても、１重の障子紙５部分（Ａ）と、それ以外の２重の障子紙５，６部分（Ｂ）との濃淡の違いで模様を現出させることができるようになっている。
【００１４】
この考案のデザイン障子は、前記所定形状の中桟４，４・・・として、あるいは中桟４，４・・・に代えて変形自由なひごを利用することもできる。例えば図３および図４におけるカッティング部分にこのようなひご７を利用することにより、カッティングを施された障子紙６の端部の強度が大幅に向上し、カッティング部分が風ではためいて騒音を発したり、破損しやすくなるのを防止することができる。
【００１５】
もちろん、中桟４，４・・・やひご７は上記縦かまち１，１および上下のかまち２，３で構成される障子紙貼付面内に取り付けた状態で障子紙５，６を貼付することができ、また予めひご７に障子紙６を貼付した上で、前記障子紙貼付面内に取り付けることも可能である。
【実施例４】
【００１６】
図５は、種々の実施例のデザイン障子を組み合わせた状態の説明図である。
この実施例では、図中の左側の障子においては、障子紙貼付面内に格子状の中桟４，４・・・が配設してあり、中桟４，４・・・とは無関係に、多数の小さい円形のカッティング８が施されている。この円形のカッティング８部分は１重の障子紙部分（Ａ）であり、それ以外の部分は２重の障子紙部分（Ｂ）である。
中央の障子においては、障子紙貼付面内に格子状の中桟４，４・・・が配設してあり、中桟４，４・・・とは無関係に、円弧状のカッティング９による１重の障子紙部分（Ａ）と、それ以外の２重の障子紙部分（Ｂ）が形成されている。
右側の障子においては、障子紙貼付面内に格子状の中桟４，４・・・が配設してあり、中桟４，４・・・に沿って形成されたカッティング１０による１重の障子紙部分（Ａ）と、それ以外の２重の障子紙部分（Ｂ）が形成されている。
この実施例においても、１重の障子紙部分（Ａ）と、それ以外の２重の障子紙部分（Ｂ）との濃淡の違いで模様を現出させることができるようになっている。
【００１７】
このように、上記縦かまち１，１および上下のかまち２，３からなる単一のデザイン障子としての利用のみならず、複数の障子を組み合わせて所定のモチーフを表現することができ、より多様なデザイン表現を行なうことが可能である。
【００１８】
この考案のデザイン障子は、当然新規の障子として利用することができるが、すでに使用している障子のリニューアルのためにも利用することが可能である。
障子は長期間にわたって使用するものであり、使用中に飽きてしまった場合等には障子そのものを廃棄するしかなかったのである。
しかしながら、この考案のデザイン障子を利用すれば、障子を新たな感覚のものにリニューアルすることができる。
また上記縦かまち１，１および上下のかまち２，３を残して中桟４，４・・・のみを自由に入れ替えることができるので、従来の障子を簡単に自由度の高いデザイン障子とすることができるようになる。
【産業上の利用可能性】
【００１９】
この考案のデザイン障子は、通常の和風障子のみならず、ガラス等を組み込んだ洋風の障子にも適用することができ、その用途も間仕切りや窓等に制限されるものではなく、多様な用途に利用することが可能である。
【図面の簡単な説明】
【００２０】
【図１】この考案のデザイン障子の１実施例を示す正面図である。
【図２】図１のイ−イ断面図である。
【図３】この考案のデザイン障子の他の実施例を示す説明図である。
【図４】さらに別の実施例を示す説明図である。
【図５】種々の実施例のデザイン障子を組み合わせた上体の説明図である。
【符号の説明】
【００２１】
１  縦かまち
２  上かまち
３  下かまち
４  中桟
５，６  障子紙
７  ひご
８  円形のカッティング
９  円弧状のカッティング
１０  中桟に沿って形成されたカッティング
【図１】
0003136581.tif 000003
【図２】
0003136581.tif 000004
【図３】
0003136581.tif 000005
【図４】
0003136581.tif 000006
【図５】
0003136581.tif 000007
【手続補正書】
【提出日】平成19年8月20日(2007.8.20)
【手続補正１】
【補正対象書類名】明細書
【補正対象項目名】００２０
【補正方法】変更
【補正の内容】
【００２０】
【図１】この考案のデザイン障子の１実施例を示す正面図である。
【図２】図１のイ−イ断面図である。
【図３】この考案のデザイン障子の他の実施例を示す説明図である。
【図４】さらに別の実施例を示す説明図である。
【図５】種々の実施例のデザイン障子を組み合わせた状態の説明図である。